(57)【要約】【課題】保温パックを患部の位置や形状に応じて横方向と縦方向に固定することができる保温治療用固定帯を提供する。【解決手段】保温パックＰを横向きに保持可能な第１保持部３２ａと、保温パックＰを縦向きに保持可能な第２保持部３２ｂとを備える保持ポケット３を備える。【選択図】図４
2008110102.tif 000002
【特許請求の範囲】
【請求項１】
腕や足などの肢部に巻回される帯状の固定ベルトを有し、上記固定ベルトの一部には、長方形状をなす保冷用または加温用の保温パックを保持する保持ポケットを備えた保温治療用固定帯において、
上記保持ポケットは、上記保温パックを横向きに保持する第１保持部と、上記保温パックを縦向きに保持する第２保持部とを備えていることを特徴とする保温治療用固定帯。
【請求項２】
上記第１保持部と上記第２保持部とが十字状に交差するように上記保持ポケット内に配置されていることを特徴とする請求項１に記載の保温治療用固定帯。
【請求項３】
上記保持ポケットの一端側には、上記保温パックを縦置きの向きとした状態で上記保持ポケット内に挿入可能な大きさを有する開口部が設けられ、
上記保持ポケット内の四隅には、上記第１保持部と上記第２保持部とに共用される４つの第１位置決め部が設けられており、
上記開口部には、横向きとして上記第１保持部内に収納される上記保温パックの一方の短辺を位置決めする第２位置決め部が設けられており、
少なくとも上記開口部側の２つの第１位置決め部および上記第２位置決め部は、面ファスナーからなることを特徴とする請求項１または２に記載の保温治療用固定帯。
【請求項４】
上記各第１位置決め部は、上記保温パックの短辺に相当する長さをもって対向的に配置されていることを特徴とする請求項３に記載の保温治療用固定帯。
【発明の詳細な説明】
【技術分野】
【０００１】
本発明は、腕や足などの肢部に巻回され、患部を加温または冷却する保温治療用固定帯に関し、さらに詳しく言えば、患部の場所に応じて、保温パックの向きを変えることができる保温治療用固定帯に関する。
【背景技術】
【０００２】
腕や足などの患部を切開手術した直後や打撲や捻挫などの初期治療時は、患部が発熱するため冷却する必要がある。逆に、腰痛や捻挫などの後期治療は、血流を促す必要があるため、患部を温める必要がある。
【０００３】
そこで、このような治療方法に用いられる治療具の１つに保温治療用固定帯がある（例えば特許文献１参照）。この種の保温治療用固定帯は、足や腕などの肢部に巻回される帯状のベルトを有し、その内部に設けられた保冷材または保温材からなる保温パックを介して患部を冷やしたり、温めたりするようになっている。
【０００４】
なお、一般的に、この種の保温治療用固定帯は、ベルトに対して保温パックが一体的に設けられている一体型と、保温パックを取り出し可能な着脱式とがある。
【０００５】
しかしながら、従来の保温治療用固定帯には、次のような問題があった。すなわち、従来の保温治療用固定帯は、保温パックが固定式、着脱式に関わらず、保温パックの向きが常に一定であったため、患部の位置や形状によっては、保温パックで患部全体を覆い隠すことができなかった。
【０００６】
そのような場合は、保温パックのみを取り出して、患部の位置に合わせて固定していたため、取り回しが面倒なだけでなく、寝返りをうったりした場合、簡単にずれてしまうなどの問題があった。
【０００７】
【特許文献１】特開２００６−１２２５４５号公報
【発明の開示】
【発明が解決しようとする課題】
【０００８】
そこで、本発明は上述した課題を解決するため、保温パックを患部の位置や形状に応じて横向きと縦向きに自由に変えることができる保温治療用固定帯を提供することにある。
【課題を解決するための手段】
【０００９】
上述した目的を達成するため、本発明は以下に示すいくつかの特徴を備えている。請求項１に記載の発明は、腕や足などの肢部に巻回される帯状の固定ベルトを有し、上記固定ベルトの一部には、長方形状をなす保冷用または加温用の保温パックを保持する保持ポケットを備えた保温治療用固定帯において、上記保持ポケットは、上記保温パックを横向きに保持する第１保持部と、上記保温パックを縦向きに保持する第２保持部とを備えていることを特徴としている。
【００１０】
請求項２に記載の発明は、上記請求項１において、上記第１保持部と上記第２保持部とが十字状に交差するように上記保持ポケット内に配置されていることを特徴としている。
【００１１】
請求項３に記載の発明は、上記請求項１または２において、上記保持ポケットの一端側には、上記保温パックを縦置きの向きとした状態で上記保持ポケット内に挿入可能な大きさを有する開口部が設けられ、上記保持ポケット内の四隅には、上記第１保持部と上記第２保持部とに共用される４つの第１位置決め部が設けられており、上記開口部には、横向きとして上記第１保持部内に収納される上記保温パックの一方の短辺を位置決めする第２位置決め部が設けられており、少なくとも上記開口部側の２つの第１位置決め部および上記第２位置決め部は、面ファスナーからなることを特徴としている。
【００１２】
請求項４に記載の発明は、上記請求項３において、上記各第１位置決め部は、上記保温パックの短辺に相当する長さをもって対向的に配置されていることを特徴としている。
【発明の効果】
【００１３】
請求項１に記載の発明によれば、保温パックを固定ベルトに横方向と縦方向に自在に取り付けることにより、患部の状況に応じて、保温パックを位置を変えることができ、患部を確実に冷却もしくは保温することができる。
【００１４】
請求項２に記載の発明によれば、保持ポケット内が第１保持部と第２保持部とが十字状に交差するように形成されていることにより、１つの保持ポケットで縦方向および横方向の２つの保持形態で使用することができる。
【００１５】
請求項３および４に記載の発明によれば、保持ポケットの四隅に第１位置決め部が上記保温パックの短辺に相当する長さをもって対向的に設けられ、開口部にはさらに保温パックを横置きにした状態で保持する第２位置決め部が設けられており、開口部側の第１位置決め部と第２位置決め部が面ファスナーによって構成されていることにより、第１位置決め部および第２位置決め部によって保温パックの側面を支持し、横向きでも縦向きのいずれにおいても保温パックが保持ポケット内で動くことを防止することができる。
【発明を実施するための最良の形態】
【００１６】
次に、本発明の実施形態について図面を参照しながら説明する。図１は本発明の一実施形態に係る保温治療用固定帯の正面図であり、図２はその背面図であり、図３は、図１のＡ−Ａ断面図である。
【００１７】
図１および図３を参照して、この保温治療用固定帯１は、足や腕などの肢部に沿って巻回される帯状の固定ベルト２を有し、固定ベルト２の一部には、保温パックＰ（図４参照）を保持するための保持ポケット３が設けられている。
【００１８】
固定ベルト２は、織布や編布などからなる布材からなり、この例では厚さ３ｍｍのキルティング地からなる。この例において、キルティング地は、ミンクパイルとコットン織布（肌側）との間にナイロン綿からなる中綿を備えたものからなり、厚みは仕様に応じて１〜８ｍｍの間で任意に変更できる。これによれば、肌に接触する部分が綿素材であるため、低刺激であり、中綿によって表面が結露しにくいばかりでなく、中空構造であるため、空気層による保温効果が高いなどの効果が得られる。
【００１９】
固定ベルト２の一部、この例では中央部には、固定ベルト２を巻回した際に、適度な締め付けを得るための伸縮部２１が設けられている。この例において、伸縮部２１は、ゴム糸を一体的に編み込んだ布材からなる。
【００２０】
固定ベルト２の一端（図１では右端）には、固定ベルト２を巻回した状態で固定するための係止部２２が設けられている。係止部２２の一方の面（図１では表側）には、固定ベルト２の他方の面（図１では裏側）に係着されるフック面ファスナー２３が設けられている。
【００２１】
この例において、係止部２２は、固定ベルト２の幅方向に沿って平行に所定間隔で３カ所設けられている。これによれば、膝などの複雑な形状の患部に巻回しても固定ベルト２を確実に固定できるようになっている。
【００２２】
固定ベルト２の裏面（図２側）には、フック面ファスナー２３が係着されるループ面ファスナー２４が設けられている。この例において、ループ面ファスナー２４は、固定ベルト２の裏面のほぼ半分にわたって設けられている。
【００２３】
保持ポケット３は、固定ベルト２の一方の面（図１では紙面手前側）に一体的に縫着されるカバー部材３１を有し、一辺（図１では左辺）を残して、全ての周縁が固定ベルト２に縫着されている。
【００２４】
カバー部材３１は、残された一辺側が保持ポケット３内部に連通する開口部３３として形成されており、その内部には、保温パックＰを収納する収納空間３２が設けられている。開口部３３は、保温パックＰの長辺を含む長さに開口されている。
【００２５】
カバー部材３１は、保温パックＰを横置きに保持した際に、保温パックＰの長辺長さを含む空間を確保するため、その開口部３３側の中央が両端よりも長く設けられている。
【００２６】
図１に示すように、保持ポケット３の四隅には、保温パックＰを横置き（図４（ａ）参照）および縦置き（図４（ｂ）参照）した状態で保持するための第１位置決め手段３４（３４Ａ〜３４Ｄ）が設けられている。
【００２７】
各第１位置決め手段３４Ａ〜３４Ｄは、それらが一定の距離Ｗ１を持って対向的に配置されている。この例において、距離Ｗ１は、保温パックＰの短辺に相当する長さよりも若干大きく設けられている。
【００２８】
これによれば、収納空間３２の内部は、保温パックＰを横置きで収納する第１保持部３２ａ（図４（ａ）参照）と、保温パックＰを縦置きで収納する第２保持部３２ｂ（図４（ｂ）参照）とを有する十字状に交差するように形成することができる。
【００２９】
４カ所の第１位置決め手段３４のうち、反開口部３３側の第１位置決め部３４Ａ，３４Ｂは、カバー部材３１と固定ベルト２とを矩形状に一体的に縫い合わせた縫着部からなり、保温パックＰを横置きした際に保温パックＰの側面（長辺）を支持する第１ガイド面３４１と、縦置きした際に保温パックＰの側面（長辺）を支持する第２ガイド面３４２とを備えている。
【００３０】
開口部３３側の第１位置決め部３４Ｃ，３４Ｄは、カバー部材３１と固定ベルト２との間に一体的に縫いつけられた雌雄一対の面ファスナーからなり、それらが互いに着脱可能に設けられている。
【００３１】
第１位置決め部３４Ｃ，３４Ｄにも同じく、保温パックＰを横置きした際に保温パックＰの側面（長辺）を支持する第１ガイド面３４１と、縦置きした際に、保温パックＰの側面（長辺）を支持する第２ガイド面３４２とを備えている。
【００３２】
これによれば、保温パックＰを保持ポケット３内に縦置きに挿入する際、その進路上には、第１位置決め部３４Ｃ，３４Ｄがあるが、第１位置決め部３４Ｃ，３４Ｄは面ファスナーからなるため、それらを離反させることで、開口部３３を全て開放することができる。
【００３３】
再び図１を参照して、カバー部材３１の開口部３３の中央には、保温パックＰを横置きした際、位置決め部３４Ｃ，３４Ｄの間の開口部３３を塞ぐための第２位置決め部３５が設けられている。第２位置決め部３５は、カバー部材３１と固定ベルト２との間に一体的に縫いつけられた雌雄一対の面ファスナーからなり、それらが互いに着脱可能に設けられている。
【００３４】
第２位置決め部３５は、保温パックＰを横置きした際に保温パックＰの側面（短辺）を支持するガイド面３５１を有し、ガイド面３５１と保持ポケット３の底辺（図１では右辺）との間の距離Ｗ２が、少なくとも保温パックＰの長辺長さに相当する長さをもって対向的に配置されている。
【００３５】
これによれば、図４（ａ）に示すように、保温パックＰを横向きに置いた状態で、その短辺をガイド面３５１と保持ポケット３の底辺（図１では右辺）との間ので挟むことができる。
【００３６】
次に、図４（ａ）および（ｂ）を参照して、この保温治療用固定帯１の使用手順一例について説明する。まず、保温治療用固定帯１に患部の位置や場所に応じて保温パックＰを取り付ける。
【００３７】
図４（ａ）に示すように、第１保持部３２ａ内に保温パックＰを横向きに収納する場合は、第２位置決め部３５の面ファスナーを離反させて開口部３３の一部を開いたのち、保温パックＰを第１位置決め部３４Ｃ，３４Ｄの間を通過させるようにして、挿入する。
【００３８】
保温パックＰを挿入してゆくと、保温パックＰの一方の短辺が保持ポケットＰの底辺（図４（ａ）ではともに右辺）に突き当る。この位置で第２位置決め部３５の面ファスナーを再び係着する。
【００３９】
これにより、保温パックＰは、横方向の移動が第２位置決め部３５と底辺との間で規制されるとともに、縦方向の移動が第１位置決め部３４Ａ〜３４Ｄの第１ガイド面３４１によって規制される。
【００４０】
次に、図４（ｂ）に示すように、第１保持部３２ａ内に保温パックＰを縦向きに収納する場合は、第１位置決め部３４Ｃ，３４Ｄおよび第２位置決め部３５の面ファスナーを離反して、開口部３３を全開放したのち、保温パックＰを収納空間３２の両側辺（図４（ｂ）では上下辺）に沿って挿入する。
【００４１】
保温パックＰを挿入してゆくと、保温パックＰの一方の長辺が第１位置決め部３４Ａ，３４Ｂの第２ガイド面３４２に当接する。この位置で第１位置決め部３４Ｃ，３４Ｄおよび第２位置決め部３５の面ファスナーを再び係着する。
【００４２】
これにより、保温パックＰは、横方向の移動が第１位置決め部３４Ａ〜３４Ｄの第２ガイド面３４２によって規制され、縦方向の移動が収納空間３２の両側辺によって規制される。
【００４３】
最後に、カバー部材３１側が図示しない患部に接触するように押し当てたのち、固定ベルト２を患部に沿って巻き付けて係止部２２を係止することにより、固定され、患部を冷却（もしくは加温）することができる。
【００４４】
この実施形態において、保温パックＰは、所定の薬液と高分子ポリマーと配合した保冷剤（加温剤）を合成樹脂製の袋に詰め込んでなる袋体からなるが、本発明において、保温パックＰの仕様は任意的事項であり、例えば簡易カイロや氷嚢などを保持するようにしてもよい。
【００４５】
この例において、固定ベルト２の表面は、素材の地肌面となっているが、歩いたり寝返りなどを打っても保温治療用固定帯１がずれたりしないようにするために、固定ベルト２の表面にシリコンなどの滑り止め手段を設けてもよい。
【図面の簡単な説明】
【００４６】
【図１】本発明の一実施形態に係る保温治療用固定帯の正面図。
【図２】上記実施形態の保温治療用固定帯の背面図。
【図３】Ａ−Ａ線断面図
【図４】（ａ）保温パックを横置きに保持した状態の模式図、（ｂ）保温パックを縦置きに保持した状態の模式図。
【符号の説明】
【００４７】
１  保温治療用固定帯
２  固定ベルト
３  保持ポケット
３１  カバー部材
３２  収納空間
３２ａ  第１保持部
３２ｂ  第２保持部
３３  開口部
３４（３４Ａ〜３４Ｄ）  第１位置決め部
３５  第２位置決め部
Ｐ  保温パック
【図１】
2008110102.tif 000003
【図２】
2008110102.tif 000004
【図３】
2008110102.tif 000005
【図４】
2008110102.tif 000006